(57)【要約】【課題】立体駐車場内のユーザの車両の駐車位置、及び駐車経路をユーザの携帯通信端末の画面に表示させることが可能な駐車経路表示システムを提供する。【解決手段】立体駐車場１１内の所定の位置に設けられ、自己のＩＤ情報等を格納する複数のＲＦＩＤ１１０と、駐車する車両１４０に搭載されたナビゲーション装置及び携帯通信端末１５０とネットワーク１６０経由で通信して、情報提供サービスのサイトを特定するサービスサイトＵＲＬを携帯通信端末１５０に電子メールで送信するサービス提供メール処理部１２１、携帯通信端末１５０からの要求に応じて、駐車位置又は駐車経路の画像を検索する位置／経路画像検索処理部１２２、及び検索された画像を電子メールで送信する画像メール作成送信処理部１２３を有するサーバ１２０と、情報提供サービスに用いる駐車経路管理情報、地図等を保持する経路データベース１３０と、を備える構成を有している。【選択図】図１
2008134722.tif 000002
【特許請求の範囲】
【請求項１】
立体駐車場内の所定の位置に設けられ、少なくとも自己を一意に識別するＩＤ情報を格納する複数のＲＦＩＤと、
駐車する車両に搭載されたナビゲーション装置及び前記車両のユーザが有する携帯通信端末と通信すると共に、前記ナビゲーション装置から、前記車両が駐車するまでの駐車経路情報、及び前記携帯通信端末の電子メールアドレスを受信して、前記携帯通信端末からの要求に応じて、前記車両の駐車位置又は駐車経路の情報を提供するサーバと、
前記サーバが受信した駐車経路情報、及び前記携帯通信端末の電子メールアドレス、並びに、前記車両の駐車位置又は駐車経路を表す画像へのアクセス情報を記憶するデータベースと、を備えることを特徴とする駐車経路表示システム。
【発明の詳細な説明】
【技術分野】
【０００１】
本発明は、立体駐車場内に駐車する車両の駐車位置、駐車経路等の情報を車両のユーザに、通信手段を介して提供する駐車経路表示システムに関する。
【背景技術】
【０００２】
従来、ユーザが立体駐車場に駐車する場合、ユーザは、駐車階、この階の柱、床等に表示されている記号、番号等を介して、駐車位置を記憶する。近年、自動車の普及に伴い、より多くの車両を駐車できるように立体駐車場が増えてきている。立体駐車場は、一般に、各階の構造が類似しているものが多い。
【０００３】
近年、目的地までの経路を表示するシステムとして、ＧＰＳ（Global
Positioning System）を利用した携帯通信端末へのナビゲーションシステムが普及してきた（例えば、特許文献１参照。）。これは、携帯通信端末が地図データを保持せず、センタサーバで地図経路の地図データを保持し、携帯通信端末から送信された目的地情報に基づいて、現在地から目的地までの経路を表示する。
【特許文献１】特開２００１−２０４０６２号公報
【発明の開示】
【発明が解決しようとする課題】
【０００４】
しかしながら、従来の経路を表示するシステムでは、ユーザの車両の駐車位置を特定して表示することができないという問題を有していた。立体駐車場は、上記のように、各階の構造が類似しているものが多いと共に、駐車階の情報、階の柱、床等に表示されている記号、番号等は特徴が少ないため、ユーザは自己の車両の駐車位置を忘れてしまい、見つけ出すのに手間取ることがしばしば起こる。
【０００５】
以上の現状に鑑み、本発明の目的は、立体駐車場内のユーザの車両の駐車位置、及び駐車経路をユーザの携帯通信端末の画面に表示させることが可能な駐車経路表示システムを提供する。
【課題を解決するための手段】
【０００６】
上記の課題を解決すべく、本発明は以下の構成を提供する。
請求項１に係る発明は、立体駐車場内の所定の位置に設けられ、少なくとも自己を一意に識別するＩＤ情報を格納する複数のＲＦＩＤと、駐車する車両に搭載されたナビゲーション装置及び前記車両のユーザが有する携帯通信端末と通信すると共に、前記ナビゲーション装置から、前記車両が駐車するまでの駐車経路情報、及び前記携帯通信端末の電子メールアドレスを受信して、前記携帯通信端末からの要求に応じて、前記車両の駐車位置又は駐車経路の情報を提供するサーバと、前記サーバが受信した駐車経路情報、及び前記携帯通信端末の電子メールアドレス、並びに、前記車両の駐車位置又は駐車経路を表す画像へのアクセス情報を記憶するデータベースと、を備えることを特徴とする。
【発明の効果】
【０００７】
請求項１に係る発明によれば、立体駐車場内の所定の位置に設けられ、少なくとも自己を一意に識別するＩＤ情報を格納する複数のＲＦＩＤと、駐車する車両に搭載されたナビゲーション装置及び前記車両のユーザが有する携帯通信端末と通信すると共に、前記ナビゲーション装置から、前記車両が駐車するまでの駐車経路情報、及び前記携帯通信端末の電子メールアドレスを受信して、前記携帯通信端末からの要求に応じて、前記車両の駐車位置又は駐車経路の情報を提供するサーバと、前記サーバが受信した駐車経路情報、及び前記携帯通信端末の電子メールアドレス、並びに、前記車両の駐車位置又は駐車経路を表す画像へのアクセス情報を記憶するデータベースと、を備えるため、立体駐車場内のユーザの車両の駐車位置、及び駐車経路をユーザの携帯通信端末の画面に表示させることが可能な駐車経路表示システムを実現することができる。
【発明を実施するための最良の形態】
【０００８】
以下、実施例を示した図面を参照しつつ本発明の実施の形態について説明する。
図１は、本発明による駐車経路表示システムの一実施例を概念的に示す説明図である。駐車経路表示システムは、立体駐車場１１内の所定の位置に設けられ、自己のＩＤ情報等を格納する複数のＲＦＩＤ（Radio Frequency IDentification）１１０と、駐車する車両１４０に搭載されたナビゲーション装置及び携帯通信端末１５０とネットワーク１６０経由で通信して、駐車に関する所定の情報提供サービスを行うサーバ１２０と、情報提供サービスに用いる駐車経路管理情報、地図等を保持する経路データベース１３０と、を備える。
【０００９】
説明に先立ち、ユーザが駐車しようとする車両１４０に搭載されたナビゲーション装置は、ＲＦＩＤ１１０からリーダを介して上記のＩＤ情報等を読み込み、読み込んだＩＤ情報及び時刻等からなる駐車経路情報を、サーバ１２０に電子メールで送信するための画面を表示できるものとする。ナビゲーション装置は、また、例えば、いずれかのＲＦＩＤ１１０から電子メールアドレス（以下、単にメールアドレスという。）を取得する等によって、予めサーバ１２０のメールアドレスを取得しているものとする。
【００１０】
ＲＦＩＤ１１０は、自己を一意に特定するＩＤ情報を格納し、車両１４０に搭載されたリーダを介してＩＤ情報をナビゲーション装置に提供可能になっている。そして、ＲＦＩＤ１１０は、立体駐車場１１内の入口、各階の出入口、各駐車位置等の所定の位置、又はこれらの近傍に設けられたポール内に、ＩＤ情報に基づいて、一般に、駐車経路及び駐車位置を一意に特定できるように配置されている。
【００１１】
サーバ１２０は、ユーザのナビゲーション装置から送信された、ナビゲーション装置を特定するナビゲーションＩＤ、駐車経路情報、及び携帯通信端末１５０のメールアドレスを受信して、情報提供サービスのサイトを特定するサービスサイトＵＲＬ（Uniform Resource Locator）を携帯通信端末１５０に電子メールで送信するサービス提供メール処理部１２１と、携帯通信端末１５０からの要求に応じて、駐車位置又は駐車経路の画像を検索する位置／経路画像検索処理部１２２と、検索された画像を電子メールで送信する画像メール作成送信処理部１２３と、を有する。
【００１２】
ここで、ユーザが電子メール中のサービスサイトＵＲＬをクリックしたとき、表示はサービス開始用のメニュー画面に遷移し、このメニュー画面には、駐車位置又は駐車経路の画像の提供等の、受けようとするサービスの項目が選択可能に表示され、ユーザがいずれかの項目を選択したとき、選択された項目がサーバに送信されるようになっている。
【００１３】
図２は、データベースに格納される駐車経路管理情報の一例を示す説明図である。経路データベース１３０は、駐車経路管理情報として、例えば、ユーザを一意に識別するユーザ識別情報、駐車経路情報、及び駐車を管理する駐車グループＩＤを記憶する。ユーザ識別情報としては、例えば、図２に示すように、ユーザの携帯通信端末１５０のメールアドレス２０１と、ナビゲーションＩＤ２０２と、がある。また、駐車経路情報としては、例えば、図２に示すように、対象のＲＦＩＤが設置された位置を通過した日時２０３と、このＲＦＩＤを特定するＲＦＩＤのＩＤ情報２０４と、がある。駐車グループＩＤ２０５は、ユーザ識別情報及び駐車経路情報に対応させて、完了した駐車毎に割り当てられる情報である。
【００１４】
図３は、経路データベースが格納する画像データの管理の一実施例を示す説明図である。経路データベースは、日時でソートした駐車経路情報中の隣り合う２つのＲＦＩＤのＩＤ情報のうちの、過去寄りのＲＦＩＤのＩＤ情報（以下、ＦＲＯＭ−ＲＦＩＤといい、これによって特定されるＲＦＩＤを通過元ＲＦＩＤという。）３０１と、現在寄りのＲＦＩＤのＩＤ情報（以下、ＴＯ−ＲＦＩＤといい、これによって特定されるＲＦＩＤを通過先ＲＦＩＤという。）３０２と、を保持する。経路データベースは、また、ＦＲＯＭ−ＲＦＩＤ３０１とＴＯ−ＲＦＩＤ３０２によって特定される通過元ＲＦＩＤと通過先ＲＦＩＤとの間の経路の画像データ３０４にリンクするための画像リンク用ＵＲＬ３０３を、ＦＲＯＭ−ＲＦＩＤ３０１とＴＯ−ＲＦＩＤ３０２に対応させて保持する。なお、画像データ３０４は、立体駐車場の管理に用いられる、サーバ、データベース等中に記憶されるのでもよい。ここで、ＦＲＯＭ−ＲＦＩＤ３０１、ＴＯ−ＲＦＩＤ３０２、及び画像リンク用ＵＲＬ３０３は、経路データベースの代わりにサーバのマスタデータベースに記憶されるのでもよい。
【００１５】
図４は、ユーザが駐車位置及び駐車経路の情報を取得するまでの操作及び処理を説明するシーケンス図である。
まず、ナビゲーション装置４０１は、ユーザの操作に応じて、駐車場の入口から駐車位置までの駐車経路を、日時とＲＦＩＤのＩＤ情報とを対応させた駐車経路情報として送信するか否かをユーザに選択させる、選択画面を表示する（Ｓ４０１）。ユーザが駐車経路情報を送信することを選択した場合、ナビゲーション装置４０１は、サーバ４０３のメールアドレスを用いて、インターネット等の所定のネットワーク経由で駐車経路情報をサーバ４０３に送信する（Ｓ４０２）。
【００１６】
次に、サーバ４０３は、サービス提供メールを作成して（Ｓ４０３）、ユーザの携帯通信端末４０２に送信する（Ｓ４０４）。図５は、サーバがサービス提供メールを送信する前までの処理を説明するフローチャートである。サーバ４０３のサービス提供メール処理部１２１は、ナビゲーション装置４０１から送信された、ナビゲーションＩＤ、駐車経路情報、及び携帯通信端末４０２のメールアドレスを受信し（Ｓ５０１）、受信した情報を経路データベース１３０等の所定のデータベースに格納し（Ｓ５０２）、受信したメールアドレスとサービスサイトＵＲＬを用いてサービス提供メールを作成する（Ｓ５０３）。
【００１７】
ここで、駐車位置を確認するには、ユーザは、受信した電子メール中のサービスサイトＵＲＬをクリックしてサービス開始のメニュー画面に遷移し、自己が受けようとするサービスを選択する。携帯通信端末４０２は、ユーザの操作に応じて、受信した電子メールを表示し、ユーザが電子メール中のサービスサイトＵＲＬをクリックしたとき、メニュー画面中のサービスの項目を表示してユーザに選択させ（Ｓ４０５）、ユーザが選択した項目を電子メールでサーバ４０３に送信する（Ｓ４０６）。
【００１８】
サービスの項目を受信したサーバ４０３は、ユーザが選択した駐車位置又は駐車経路の画像を検索し（Ｓ４０７）、検索された画像をユーザの携帯通信端末４０２に送信する電子メールを作成し（Ｓ４０８）、送信する（Ｓ４０９）。ステップＳ４０９で送信された電子メールを受信することによって、ユーザは、上記で選択したサービスの項目に応じて、駐車位置又は駐車経路の画像を携帯通信端末４０２に表示させることができる。
【００１９】
図６は、サーバがユーザの要求に応じた画像を提供する電子メールを作成するまでの処理について説明するフローチャートである。
ステップＳ４０６でサービスの項目が送信されると、サーバの位置／経路画像検索処理部は、電子メールでサービスの項目を受信し、この電子メールからメールアドレスを取得し（Ｓ６０１）、取得したメールアドレスを用いて駐車経路管理情報中のユーザの駐車経路情報を検索し（Ｓ６０２）、検索されたユーザの駐車経路情報を日時に関してソートする（Ｓ６０３）。
【００２０】
次に、サーバの位置／経路画像検索処理部は、電子メールで受信したサービスの項目が駐車位置と駐車経路のうちのいずれを指定しているかを判定する（Ｓ６０４）。サービスの項目が駐車位置を指定していると判定した場合、サーバの位置／経路画像検索処理部は、ソートした駐車経路情報中の、最後及び１つ前の日時のＲＦＩＤを取得し（Ｓ６０５）、取得した１対のＲＦＩＤで特定される画像を、対応する画像リンク用ＵＲＬに基づいて取得する（Ｓ６０６）。
【００２１】
一方、サービスの項目が駐車経路を指定していると判定した場合、サーバの位置／経路画像検索処理部は、ソートした駐車経路情報中の、日時が最後のＲＦＩＤに割り当てられた駐車グループＩＤに対応する全てのＲＦＩＤを取得し（Ｓ６０７）、取得したＲＦＩＤで特定される経路の画像を、画像リンク用ＵＲＬに基づいて取得する（Ｓ６０８）。
【００２２】
ステップＳ６０６及びＳ６０８で画像が取得されたとき、サーバの画像メール作成送信処理部は、取得された駐車位置の画像又は駐車経路の画像を送信するための電子メールを作成する（Ｓ６０９）。作成された電子メールは、上記のステップＳ４０９で携帯通信端末電子に送信される。
【００２３】
図７は、ユーザの携帯通信端末に表示される、駐車経路の画像の一例を示す図である。図７には４つの画像が示され、左上の画像から始まり、右上の画像、右下の画像、そして、左下の画像の順番に駐車経路の画像が携帯通信端末に表示される（画像間の太矢印参照）。駐車経路の画像の表示は、駐車位置が表示されるまで行われる。図７において、左上の画像（７０４）には、入口に設けられた通過元ＲＦＩＤ（７０１）と通過先ＲＦＩＤ（７０２）とを結んだ経路（７０３）が示されている。最後に表示される左下の画像中に、駐車しているユーザの車両を示すアイコン７０５が表示される。
【００２４】
図８は、ユーザの携帯通信端末に表示される、駐車位置の画像の一例を示す図である。駐車位置は、図８に示すように、ユーザの車両を示すアイコン８０１を用いて表示される。駐車位置の画像には、駐車位置を特定する文字等が付加されるのでもよい。
【図面の簡単な説明】
【００２５】
【図１】本発明による駐車経路表示システムの一実施例を概念的に示す説明図である。
【図２】データベースに格納される駐車経路管理情報の一例を示す説明図である。
【図３】経路データベースが格納する画像データの管理の一実施例を示す説明図である。
【図４】ユーザが駐車位置及び駐車経路の情報を取得するまでの操作及び処理を説明するシーケンス図である。
【図５】サーバがサービス提供メールを送信する前までの処理を説明するフローチャートである。
【図６】サーバがユーザの要求に応じた画像を提供する電子メールを作成するまでの処理について説明するフローチャートである。
【図７】ユーザの携帯通信端末に表示される、駐車経路の画像の一例を示す図である。
【図８】ユーザの携帯通信端末に表示される、駐車位置の画像の一例を示す図である。
【符号の説明】
【００２６】
１１  立体駐車場
１１０  ＲＦＩＤ
１１１  ポール
１２０  サーバ
１２１  サービス提供メール処理部
１２２  位置／経路画像検索処理部
１２３  画像メール作成送信処理部
１３０  駐車データベース
１４０、８０１  車両
１５０  携帯通信端末
１６０  ネットワーク
２０１  メールアドレス
２０２  ナビゲーションＩＤ
２０３  日時
２０４  ＲＦＩＤのＩＤ情報
２０５  駐車グループＩＤ
３０１  ＦＲＯＭ−ＲＦＩＤ
３０２  ＴＯ−ＲＦＩＤ
３０３  画像リンク用ＵＲＬ
３０４  画像データ
４０１  ナビゲーション装置
４０２  携帯通信端末
４０３  サーバ
７０１  通過元ＲＦＩＤ
７０２  通過先ＲＦＩＤ
７０３  経路
７０４  画像
【図１】
2008134722.tif 000003
【図２】
2008134722.tif 000004
【図３】
2008134722.tif 000005
【図４】
2008134722.tif 000006
【図５】
2008134722.tif 000007
【図６】
2008134722.tif 000008
【図７】
2008134722.tif 000009
【図８】
2008134722.tif 000010